(57)【要約】【課題】使用者の体格や好みに合わせて変形が可能であり、しかも持ち運びが便利で、身体に種々の部位に使用可能な冷却具を提供する。【解決手段】陶器製やセラミックせいの、板状の伝熱片１１の厚さ方向の中央に、対向する側面を貫通する透孔１１ａを穿設する。多数の伝熱片１１を前後左右に整列させ、透孔１１ａに紐状部材１２を挿通させて隣接する伝熱片１１を順次に連結していく。この冷却具１０は、伝熱片１１の個数や整列の仕方を変えることで、全体としての長さや幅を適宜に調整することができる。また、全体として変形自在であるので、通常使用している枕に載せて使用したり、敷き布団の上にシーツのようにかぶせて使用することができる。【選択図】　　　図１
2004041253.tif 000002
【特許請求の範囲】
【請求項１】
板状の複数の伝熱片と、
前記複数の伝熱片を平面状に並べた状態で相互に隣接する前記伝熱片を順次に連結する変形可能な連結部材とを備える、
ことを特徴とする冷却具。
【請求項２】
前記連結部材は紐状部材であり、
前記伝熱片は、前記紐状部材が挿通される透孔を有し、前記透孔に前記紐状部材が挿通されることにより連結される、
ことを特徴とする請求項１に記載の冷却具。
【請求項３】
前記連結部材は紐状部材であり、
前記伝熱片は、少なくとも２分割された部分片を相互に嵌合させることにより形成され、嵌合時に前記２個の部分片の間で前記紐状部材を挟持することにより連結される、
ことを特徴とする請求項１に記載の冷却具。
【請求項４】
前記連結部材はシート状部材であり、
前記伝熱片は、前記シート状部に接着されることにより連結される、
ことを特徴とする請求項１に記載の冷却具。
【請求項５】
前記連結部材はシート状部材であり、
前記伝熱片は、少なくとも２分割された部分片を相互に嵌合させることにより形成され、嵌合時に前記２個の部分片の間で前記シート状部材を表裏方向から挟持することにより連結される、
ことを特徴とする請求項１に記載の冷却具。
【請求項６】
相互に嵌合される前記２個の部分片は嵌合部を有し、前記シート状部材における前記嵌合部に対応する位置に貫通孔が穿設されている、
ことを特徴とする請求項５に記載の冷却具。
【請求項７】
前記連結部材は網状部材であり、
前記伝熱片は、少なくとも２分割された部分片を相互に嵌合させることにより形成され、嵌合時に前記２個の部分片の間で前記網状部材を表裏方向から挟持することにより連結される、
ことを特徴とする請求項１に記載の冷却具。
【発明の詳細な説明】
【０００１】
【発明の属する技術分野】
本発明は、身体の一部、例えば頭部を冷却するための冷却具に関する。
【０００２】
【従来の技術】
身体の一部、例えば頭部を冷却するための冷却具として、陶器製の枕が知られている。
【０００３】
陶器製の枕は温まりにくく冷めにくい（比熱が大きい）ため、これを使用して就寝すると、頭部の熱が陶器製の枕に徐々に奪われて、清涼感を伴って快適に就寝することができる。
【０００４】
【発明が解決しようとする課題】
しかしながら、上述の陶器製の枕は、大きさや形が一定であるため、使用者の体格や好みに合わせて変形させることが困難であるという問題があった。また、持ち運びに不便であり、さらに、身体中の使用部位が限定されるという問題もあった。
【０００５】
実際、枕においては、頭が当たる部分の形状や高さが少し変わっただけでも、熟睡できないという人がおり、変形できないという点は決定的な欠点となっていた。
【０００６】
そこで、本発明は、使用者の体格や好みに合わせて変形が可能であり、しかも持ち運びが便利で、身体に種々の部位に使用可能な冷却具を提供することを目的とするものである。
【０００７】
【課題を解決するための手段】
請求項１に係る発明は、冷却具において、板状の複数の伝熱片と、前記複数の伝熱片を平面状に並べた状態で相互に隣接する前記伝熱片を順次に連結する変形可能な連結部材とを備える、ことを特徴とする。
【０００８】
請求項２に係る発明は、請求項１に記載の冷却具において、前記連結部材は紐状部材であり、前記伝熱片は、前記紐状部材が挿通される透孔を有し、前記透孔に前記紐状部材が挿通されることにより連結される、ことを特徴とする。
【０００９】
請求項３に係る発明は、請求項１に記載の冷却具において、前記連結部材は紐状部材であり、前記伝熱片は、少なくとも２分割された部分片を相互に嵌合させることにより形成され、嵌合時に前記２個の部分片の間で前記紐状部材を挟持することにより連結される、ことを特徴とする。
【００１０】
請求項４に係る発明は、請求項１に記載の冷却具において、前記連結部材はシート状部材であり、前記伝熱片は、前記シート状部に接着されることにより連結される、ことを特徴とする。
【００１１】
請求項５に係る発明は、請求項１に記載の冷却具において、前記連結部材はシート状部材であり、前記伝熱片は、少なくとも２分割された部分片を相互に嵌合させることにより形成され、嵌合時に前記２個の部分片の間で前記シート状部材を表裏方向から挟持することにより連結される、ことを特徴とする。
【００１２】
請求項６に係る発明は、請求項５に記載の冷却具において、相互に嵌合される前記２個の部分片は嵌合部を有し、前記シート状部材における前記嵌合部に対応する位置に貫通孔が穿設されている、ことを特徴とする。
【００１３】
請求項７に係る発明は、請求項１に記載の冷却具において、前記連結部材は網状部材であり、前記伝熱片は、少なくとも２分割された部分片を相互に嵌合させることにより形成され、嵌合時に前記２個の部分片の間で前記網状部材を表裏方向から挟持することにより連結される、ことを特徴とする。
【００１４】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００１５】
＜実施の形態１＞
図１に、本発明に係る冷却具の一例として、実施の形態１に係る冷却具を示す。同図は、冷却具の一部を表面側から見た図である。なお、裏面側から見ても同様の形状である。
【００１６】
同図に示すように、本実施の形態に係る冷却具１０は、板状の複数の伝熱片１１と、これら複数の伝熱片１１を平面状に並べた状態で相互に隣接する伝熱片を順次に連結する変形可能な紐状部材（連結部材）１２とを備えている。
【００１７】
図２（ａ），（ｂ），（ｃ）は、この順に、伝熱片１１の上面図，側面図，斜視図である。同図に示すように、伝熱片１１は、１辺の長さがａ、厚さがｔの板状の部材である。伝熱片１１には、厚さ方向のほぼ中心で、かつ１辺の長さを２等分する位置に、透孔１１ａが穿設されている。透孔１１ａは、図２（ａ）に示すように、対向する２個の側面の中央を貫通するように計２本穿設されている。
【００１８】
伝熱片１１の素材としては、例えば、陶器，セラミック，軽金属，合成樹脂，木材等を使用することができる。なお、材質についてはこれらに限定されるものではなく、任意のものを使用することが可能である。このうち、例えば、陶器やセラミックを使用した場合には、これらは比熱が大きくて、温まりにくくかつ冷めにくいので、身体の一部を冷却するには好適である。また、合成樹脂のうち、適度に弾性を有する軟質のゴムを使用した場合には、クッションとしての効果も期待することができる。
【００１９】
これら伝熱片１１は、図１に示すように、前後左右に整列させて多数並べた状態で、透孔１１ａに紐状部材１２が挿通されることにより、全体として、平面状に構成されている。紐状部材１２は、隣接する伝熱片１１の透孔１１ａを順次に貫通することで伝熱片１１全体を連結するようにしている。なお、紐状部材１２の材質は、特に限定されるものではなく、丈夫で安全なものであれば任意のものを使用することができる。例えば、凧糸やビニールの紐を使用することができる。
【００２０】
上述構成の冷却具１０は、多数の断熱片１１を、紐状部材１２で連結して面状に構成したので、伝熱片１１の個数や整列の仕方を変えることで、全体としての長さや幅を適宜に調整することができる。また、全体として変形自在である。したがって、例えば、通常使用している枕に載せて使用したり、敷き布団の上にシーツのようにかぶせて使用することができる。他の使用方法としては、鉢巻きのように頭部に頭部に巻いたり、腕章のように腕部や脚部に巻いて使用したりすることができる。さらにバンダナや防止すべりとしても使用することができる。
【００２１】
いずれの場合も、使用者は、身体のうちの冷却具１０に触れた部分から徐々に熱が奪われるので、清涼感を味わうことができる。
【００２２】
また、冷却具１０は、前述の陶器製の枕とは異なり、変形自在で携帯性に優れているので、例えば、使用する前に、冷却具１０全体を冷蔵庫等で冷やすことも容易である。
【００２３】
＜実施の形態２＞
図３に、実施の形態２に係る冷却具を示す。同図は、冷却具の一部を表面側から見た図の一部である。なお、本実施の形態の冷却具２０は、上述の実施の形態１の冷却具１０と比べて、伝熱片２１の透孔２１ａの数が異なるのみで、他の構成については、上述の冷却具１０と同様である。
【００２４】
同図に示すように、本実施の形態に係る冷却具２０は、板状の複数の伝熱片２１と、これら複数の伝熱片２１を平面状に並べた状態で相互に隣接する伝熱片を順次に連結する変形可能な紐状部材（連結部材）２２とを備えている。
【００２５】
図４（ａ），（ｂ），（ｃ）は、この順に、伝熱片２１の上面図，側面図，斜視図である。同図に示すように、伝熱片２１は、１辺の長さがａ、厚さがｔの板状の部材である。伝熱片２１には、厚さ方向のほぼ中心で、かつ１辺の長さを３等分する位置に、透孔２１ａが穿設されている。透孔１１ａは、図４（ａ），（ｃ）に示すように、対向する２個の側面を貫通するように計４本穿設されている。
【００２６】
これら伝熱片２１は、図３に示すように、前後左右に整列させて多数並べた状態で、透孔２１ａ（図３では不図示）に紐状部材２２が挿通されることにより、全体として、平面状に構成されている。紐状部材２２は、隣接する伝熱片２１の透孔２１ａを順次に貫通することで伝熱片２１全体を連結するようにしている。
【００２７】
本実施の形態による冷却具２０は、上述の実施の形態１の冷却具１０の作用・効果に加えて、冷却具２０全体を冷却具１０よりもさらに丈夫に構成することができるという利点を有している。
【００２８】
以上の実施の形態１，２は、伝熱片を紐状部材で連結するものであるが、紐状部材による伝熱片の連結方法は、これらの限定されるものではない。例えば、伝熱片の透孔の位置や数は上述のように２，４本に限らず、３本や５本以上であってもよい。
【００２９】
＜実施の形態３＞
図５に、実施の形態３に係る冷却具を示す。
【００３０】
同図に示す冷却具３０は、複数の棒状の伝熱片３１と、これらを連結する紐状部材（連結部材）３２とを備えている。
【００３１】
伝熱片３１には、長手方向と直交する方向に２個の透孔３１ａが穿設されている。紐状部材３２は、隣接する伝熱片３１の透孔３１ａに順次に挿通されることで、これら伝熱片３１を連結している。
【００３２】
本実施の形態の冷却具３０は、伝熱片３１の整列が１列であり、また伝熱片３１に対する紐状部材３２の通し方も単純であるので、使用する伝熱片３１の数の増減を簡単に行うことができる。したがって、冷却具３０の全体の長さを容易に変更することができる。
【００３３】
本実施の形態の冷却具３０は、鉢巻きのように、使用部位に巻きつけて使用する場合に適している。すなわち、頭部，腕部，脚部，腹部等の身体の一部に巻いて使用する場合に好適である。
【００３４】
また、伝熱片３１は、頭部，腕部，脚部，腹部等の身体の一部に巻いて使用したときに、身体に接触する面積を広くし、それに加えて、空気に接触する面積を広くすることが好ましい。冷却具３０を使用する身体の部位の熱を効率よく吸収できるとともに、効率よく放熱することができるからである。
【００３５】
例えば、図９に示すように、伝熱片３１を三角柱にし、三角柱の１面３１ｂを頭に接触するようにし、他の２面３１ｃ、３１ｄを空気に接触するようにすれば、上記効果を奏することができる。
【００３６】
＜実施の形態４＞
図６（ａ），（ｂ），（ｃ）に、実施の形態４に係る冷却具を示す。このうち（ａ）は冷却具の一部を表面側から見た図、（ｂ）及び（ｃ）はシート状部材に対する伝熱片の取り付けを説明するための側面図である。
【００３７】
これらの図に示すように、本実施の形態に係る冷却具４０は、板状の複数の伝熱片４１と、これら複数の伝熱片４１を平面状に並べた状態で連結する変形可能なシート状部材（連結部材）４２とを備えている。
【００３８】
各伝熱片４１の裏面側には接着剤４３が塗布されている。この接着剤４３を使用して、各伝熱片４１をシート状部材４２の表面に順次に縦横に接着していくことによって、全体として面状の冷却具４０を形成することができる。シート状部材４２としては、例えば布製、合成樹脂製のものを使用することができる。
【００３９】
本実施の形態の冷却具４０は、連結部材として紐状部材１２，２２を使用する前述の実施の形態１，２の冷却具１０，２０と比較して、冷却具４０の作製が容易で、かつ大きさについての自由度が高くなる。つまり、好みの大きさのものを簡単に作製することができる。
【００４０】
＜実施の形態５＞
図７（ａ），（ｂ），（ｃ）に、実施の形態５に係る冷却具を示す。このうち（ａ）は冷却具の一部を表面側から見た図、（ｂ）及び（ｃ）はシート状部材に対する伝熱片の取り付けを説明するための側面図である。
【００４１】
これらの図に示すように、本実施の形態に係る冷却具５０は、板状の複数の伝熱片５１と、これら複数の伝熱片５１を平面状に並べた状態で連結する変形可能なシート状部材（連結部材）５２とを備えている。
【００４２】
本実施の形態では、伝熱片５１は、厚さ方向に２分割して部分片５３と部分片５４とに分けられていて、嵌合部において嵌合されている。シート状部材５２の表面側に位置する部分片５３は、下面側の中央に円筒状の凹部５３ａを有する。一方、シート状部材５２の裏面側に位置する部分片５４は、上面側の、上述の凹部５３ａに対応する位置に円柱状の凸部５４ａを有している。そして、この部分片５４の凸部５４ａを部分片５３ａの凹部に下方から嵌合することで、１つの伝熱片５１を構成するようになっている。つまり凹部５３ａと凸部５４ａとによって伝熱片５１の嵌合部を構成している。この嵌合部は、使用者の意図的な嵌合動作及びその逆の嵌合解除動作に対しては、比較的容易に嵌合され、また解除される一方、意図的でない外力に対しては、嵌合が解除されないようにする。例えば、嵌合部をテーパ状に形成したり、スナップフィット方式での嵌合が可能な形状に形成したりするとよい。
【００４３】
シート状部材５２には、上述の伝熱片５１の嵌合部に対応する位置に、凸部５４ａとほぼ同じ大きさの円形の貫通孔５２ａが穿設されている。図７（ｂ），（ｃ）に示すように、上の部分片５３に下の部分片５４を嵌合させる際に、下の部分片５４の凸部５４ａがシート状部材５２の貫通孔５２を貫通した状態で、この凸部５４ａに上の部分片５３の凹部５３ａを嵌合させる。この嵌合によって、上の部分片５３の凹部５３ａの周縁部と、下の部分片５４の凸部５４ａの周縁部とによって、シート状部材５２の貫通孔５２ａの周縁部を挟持する。これにより、シート状部材５２に伝熱片５１を取り付けることができる。また、逆に嵌合を解除することで、シート状部材５２から伝熱片５１を簡単に取り外すことができる。つまり、シート状部材５２に対する伝熱片５１の着脱が容易である。
【００４４】
本実施の形態の冷却具５０は、前述の他の冷却具とほぼ同様の作用・効果を奏することができるに加え、さらに、上述のシート状部材５２に対する着脱が容易であるため、使用者の使用目的に適した大きさの冷却具５０を簡単に作製できるという大きな利点がある。すなわち、例えば、枕用、シーツ用、鉢巻き用というように、その使用目的に合わせて種々の大きさのシート状部材５２を準備しておけば、後は別に準備した伝熱片５１をそのシート状部材５２に取り付けるだけで、目的に合った好適な大きさの冷却具５０を作製することができる。
【００４５】
なお、本実施の形態では、シート状部材５２に、伝熱片５１を取り付けるための貫通孔５２を設けたが、これは必ずしも必要ではない。例えば、シート状部材５２として、伸縮性のある布状の部材を使用して、その一部を上の部分片５３の凹部５３ａと下の部分片５４の凸部５４ａとの間で挟み込むようにしてもよい。この場合には、シート状部材５２の任意の位置に伝熱片５１を取り付けることが可能となる。ただし、嵌合部における凹部５３ａと凸部５４ａとの嵌まり込みの程度は、両者の間に挟み込まれるシート状部材５２の厚さを考慮して設定するものとする。
【００４６】
本実施の形態では、連結部材としてシート状部材５２を使用した例を説明したが、連結部材としてシート状部材５２に代えて紐状部材を使用することも可能である。この場合には、上の部分片５３と下の部分片５４との間に紐状部材を挟み込んで冷却具を構成すればよい。
【００４７】
＜実施の形態６＞
図８（ａ），（ｂ）に実施の形態６に係る冷却具を示す。このうち（ａ）は冷却具の斜視図、（ｂ）は上面図である。
【００４８】
これらの図に示す冷却具６０は、伝熱片６１と、相互に隣接する伝熱片６１を連結するためのシート状部材６２とを一体的に成型したことを特徴としている。
【００４９】
本実施の形態においては、伝熱片６１は、長方形の薄板状に形成し、シート状部材６２は、図（ｂ）に示すように上面視の形状がＵ字形となるように形成する。さらに、伝熱片６１の厚さに対して、シート状部材６２の厚さを薄くする。これにより、シート状部材６２の変形を容易なものとして、冷却具６０全体も簡単に変形できるようにする。
【００５０】
本実施の形態に係る冷却具６０は、上述のように一体成型が可能であるので、その作製が極めて容易である。
【００５１】
この場合においては、伝熱片６１とシート状部材６２とを同一の部材で形成されている。身体の一部分が直接接触する伝熱片６１において身体の熱を吸収し、空気に接触するシート状部材６２において、効率よく放熱することができる。
【００５２】
さらに、図１０に示すように、シード状部材６２を大きなＵ字形にし、空気に接触する面積を広くすると、放熱効果をさらに高めることができる。
【００５３】
伝熱片６１及びシート状部材６２の素材としては、軽金属，合成樹脂等、変形容易な部材が好ましい。
【００５４】
上述の実施の形態１〜６においては、伝熱片の形状が、正方形、長方形、棒状である場合を例に説明したが、本発明においては、伝熱片の形状は任意とすることができる。例えばこの他に、円形、ひし形、平行四辺形、台形、六角形、三角形であってもよい。
【００５５】
上述の実施の形態５においては、連結部材としてシート状部材を使用したが、これに代えて、ネット状部材（網状部材）を使用することも可能である。
なお、本発明に係る冷却具に使用する伝熱片は、中実であってもまた中空であってもよい。
【００５６】
【発明の効果】
以上説明したように、本発明によると、伝熱片と、これを連結する変形可能な連結部材とによって冷却具を構成することにより、使用者の体格や好みに合わせて変形が可能であり、しかも持ち運びが便利で、身体に種々の部位に使用可能となる。
【図面の簡単な説明】
【図１】実施の形態１の冷却具の一部を示す上面図である。
【図２】（ａ）は実施の形態１の伝熱片の上面図である。
（ｂ）は実施の形態１の伝熱片の側面図である。
（ａ）は実施の形態１の伝熱片の斜視図である。
【図３】
実施の形態２の冷却具の一部を示す上面図である。
【図４】（ａ）は実施の形態２の伝熱片の上面図である。
（ｂ）は実施の形態２の伝熱片の側面図である。
（ａ）は実施の形態２の伝熱片の斜視図である。
【図５】
実施の形態３の冷却具の斜視図である。
【図６】（ａ）は実施の形態４の冷却具の一部を示す上面図である。
（ｂ），（ｃ）は実施の形態４において、シート状部材に対する伝熱片の取り付けを説明する図である。
【図７】（ａ）は実施の形態５の冷却具の一部を示す上面図である。
（ｂ），（ｃ）は実施の形態５において、シート状部材に対する伝熱片の取り付けを説明する図である。
【図８】（ａ）は実施の形態６の冷却具の斜視図である。
（ｂ）は実施の形態６の冷却具の上面図である。
【図９】実施の形態３の他の冷却具の斜視図である。
【図１０】実施の形態６の他の冷却具の斜視図である。
【符号の説明】
１０，２０，３０，４０，５０，６０冷却具
１１，２１，３１，４１，５１，６１伝熱片
１１ａ，２１ａ，３１ａ透孔
１２，２２，３２連結部材（紐状部材）
４２，５２，６２連結部材（シート状部材）
５２ａ　　　貫通孔
５３，５４　部分片
【図１】
2004041253.tif 000003
【図２】
2004041253.tif 000004
【図３】
2004041253.tif 000005
【図４】
2004041253.tif 000006
【図５】
2004041253.tif 000007
【図６】
2004041253.tif 000008
【図７】
2004041253.tif 000009
【図８】
2004041253.tif 000010
【図９】
2004041253.tif 000011
【図１０】
2004041253.tif 000012
【手続補正書】
【提出日】平成14年8月12日(2002.8.12)
【手続補正１】
【補正対象書類名】図面
【補正対象項目名】図６
【補正方法】変更
【補正の内容】
【図６】
2004041253.tif 000013
【手続補正２】
【補正対象書類名】図面
【補正対象項目名】図７
【補正方法】変更
【補正の内容】
【図７】
2004041253.tif 000014